(57)【要約】【課題】留守中の住宅における防犯のための照明制御を、より低消費電力に行うこと。【解決手段】照明システム１は、住宅内に設置されたセンサ２０ａ，２０ｂによって、住宅内における人の存在を検出し、照明コントローラ３０が照明シミュレーション処理を実行することにより、居住者のスイッチＯＮ動作に対応して、あるいは、住宅内に人が存在しない場合には自動的に、照明シミュレーションパターンに応じた照明器具の点灯制御を行う。これにより、住宅内の外部から視認できない箇所や、照明器具を点灯しても太陽光によって目立たない箇所については、照明器具の点灯を行うことなく、それ以外の照明器具によって、住宅内に人が存在しているかのように演出が行われる。したがって、留守中の住宅における防犯のための照明制御を、より低消費電力に行うことが可能となる。【選択図】図１
2009224199.tif 000002
【特許請求の範囲】
【請求項１】
住宅内に設置された照明器具と、
外部からの視認条件および照明器具の点灯効果の大きさに基づいて設定された照明器具の点灯パターンに応じて、前記照明器具の点灯を制御する照明制御手段と、
を備えることを特徴とする照明システム。
【請求項２】
前記外部からの視認条件として、前記照明器具が住宅の間取りにおいて、前記照明器具の光が外部から視認できるか否かを含むことを特徴とする請求項１記載の照明システム。
【請求項３】
前記照明器具の点灯効果の大きさは、該照明器具が住宅の間取りにおいて、太陽光が当たる部屋に設置されているか否かを要素とすることを特徴とする請求項１または２記載の照明システム。
【請求項４】
前記照明制御手段は、前記照明器具の属性および住宅の間取り図を記憶しており、前記点灯パターンに応じて照明器具の点灯を制御する場合、住宅の間取りにおいて近接して設置された照明器具については、より低消費電力な照明器具を選択して点灯制御に用いることを特徴とする請求項１から３のいずれか１項に記載の照明システム。
【請求項５】
居住者の日常生活における照明器具の点灯および消灯履歴を基に、居住者による照明器具の点灯操作パターンを抽出するパターン抽出手段を備え、
前記照明制御手段は、前記照明器具の点灯パターンとして、前記パターン抽出手段によって抽出された点灯操作パターンを用いることを特徴とする請求項１から４のいずれか１項に記載の照明システム。
【請求項６】
前記パターン抽出手段は、居住者の日常生活における照明器具の点灯および消灯履歴において、各照明器具の所定時刻における点灯および消灯の度数から、該照明器具が前記所定時刻において点灯あるいは消灯のいずれのパターンとなるかを判定し、前記所定時刻を含む所定期間について、該照明器具は、判定された点灯あるいは消灯の状態であるものとすることにより、日常生活における前記照明器具の点灯操作パターンを抽出することを特徴とする請求項５記載の照明システム。
【請求項７】
住宅内における人の存在を検出する在宅者検出手段を備え、前記照明制御手段は、前記在宅者検出手段によって、住宅内における人の存在が検出されない場合に、前記照明器具の点灯パターンに応じて、前記照明器具の点灯を制御することを特徴とする請求項１から６のいずれか１項に記載の照明システム。
【請求項８】
住宅外部からの視認条件および照明器具の点灯効果の大きさに基づいて設定された照明器具の点灯パターンに応じて、住宅内に設置された前記照明器具を点灯させることを特徴とする照明制御方法。
【発明の詳細な説明】
【技術分野】
【０００１】
本発明は、住宅の照明を制御する照明システムおよび照明制御方法に関する。
【背景技術】
【０００２】
近年、住宅における照明を自動的に制御する照明システムが利用されつつある。
このような照明システムにおいては、センサによって人の存在を感知し、人がいる箇所の照明を自動的に点灯させるといった制御を行っている。
また、このような照明システムを利用して、留守中の住宅における防犯を行う技術が提案されている。
【０００３】
例えば、特許文献１には、屋内外の複数の照明の照度をそれぞれ任意に設定および切り替え可能な演出照明のためのコントロールユニットと、警備会社に設置された操作パネルに設けられた防犯センサの作動によって、コントロールユニットにより設定された照明の全てまたは特定のものを全点灯させる防犯インターフェースとを備えた防犯照明システムが開示されている。
この防犯照明システムにおいては、平常時には演出照明を行うとともに、契約している警備会社の防犯センサ信号の作動により演出照明を全照明にすることで防犯機能を持たせ、かつ警備会社の出動により確実な防犯を図ることとしている。
【特許文献１】特開２００５−３１７４５１号公報
【発明の開示】
【発明が解決しようとする課題】
【０００４】
しかしながら、特許文献１記載の技術においては、留守中に行われる演出照明が、単純に居住者が在宅していることを演出するものであるため、演出照明時に無用な消費電力が発生する可能性がある。
本発明の課題は、留守中の住宅における防犯のための照明制御を、より低消費電力に行うことである。
【課題を解決するための手段】
【０００５】
以上の課題を解決するため、第１の発明は、
住宅内に設置された照明器具（例えば、図１の照明器具１０ａ〜１０ｋ）と、外部からの視認条件および照明器具の点灯効果の大きさに基づいて設定された照明器具の点灯パターンに応じて、前記照明器具の点灯を制御する照明制御手段（例えば、図１の照明コントローラ３０あるいは図７の照明コントローラ１３０）とを備えることを特徴としている。
【０００６】
このような構成により、照明制御手段が、外部からの視認条件および照明器具の点灯効果の大きさに基づいて設定された照明器具の点灯パターンに応じて照明器具を点灯制御するため、住宅内の外部から視認できない箇所や、照明器具を点灯しても太陽光によって目立たない箇所については、照明器具の点灯が行われることなく、それ以外の照明器具によって、住宅内に人が存在しているかのように演出が行われる。
したがって、留守中の住宅における防犯のための照明制御を、より低消費電力に行うことが可能となる。
【０００７】
また、第２の発明は、
前記外部からの視認条件として、前記照明器具が住宅の間取りにおいて、前記照明器具の光が外部から視認できるか否かを含むことを特徴としている。
このような構成により、寝室内のクローゼットや窓のない部屋等、照明器具を点灯しても外部から照明光が見えないと考えられる部分の照明器具を無用に点灯させることを避けることができ、より低消費電力に防犯のための照明制御を行うことができる。
【０００８】
また、第３の発明は、
前記照明器具の点灯効果の大きさは、該照明器具が住宅の間取りにおいて、太陽光が当たる部屋に設置されているか否かを要素とすることを特徴としている。
このような構成により、住宅における南側の部屋に設置された照明器具等、太陽光が当たる状態で点灯しても、点灯効果が大きくないと考えられる照明器具を無用に点灯させることを避けることができ、より低消費電力に防犯のための照明制御を行うことができる。
【０００９】
また、第４の発明は、
前記照明制御手段は、前記照明器具の属性および住宅の間取り図を記憶しており、前記点灯パターンに応じて照明器具の点灯を制御する場合、住宅の間取りにおいて近接して設置された照明器具については、より低消費電力な照明器具を選択して点灯制御に用いることを特徴としている。
このような構成により、同様の点灯効果を有する照明器具のうち、より低消費電力なものを用いることができ、留守中の住宅における防犯のための照明制御を、より低消費電力に行うことが可能となる。
【００１０】
また、第５の発明は、
居住者の日常生活における照明器具の点灯および消灯履歴を基に、居住者による照明器具の点灯操作パターンを抽出するパターン抽出手段（例えば、図７のパターン抽出手段１３０ｅ）を備え、前記照明制御手段は、前記照明器具の点灯パターンとして、前記パターン抽出手段によって抽出された点灯操作パターンを用いることを特徴としている。
このような構成により、日常的な居住者の生活から照明器具の点灯操作パターンを抽出し、そのパターンを基に、上記照明器具の点灯パターンを設定できるため、防犯のための照明制御を行う上で、より効果的に住宅内に人が存在しているかのように演出を行うことができる。
【００１１】
また、第６の発明は、
前記パターン抽出手段は、居住者の日常生活における照明器具の点灯および消灯履歴において、各照明器具の所定時刻における点灯および消灯の度数から、該照明器具が前記所定時刻において点灯あるいは消灯のいずれのパターンとなるかを判定し、前記所定時刻を含む所定期間について、該照明器具は、判定された点灯あるいは消灯の状態であるものとすることにより、日常生活における前記照明器具の点灯操作パターンを抽出することを特徴としている。
このような構成により、居住者の日常生活における照明器具の点灯および消灯操作の履歴から、統計的に点灯操作パターンを抽出することができ、照明システムにおいて、居住者の操作履歴から簡単に防犯のための点灯パターンを生成することができる。
【００１２】
また、第７の発明は、
住宅内における人の存在を検出する在宅者検出手段（例えば、図１のセンサ２０ａ,センサ２０ｂ）を備え、前記照明制御手段は、前記在宅者検出手段によって、住宅内における人の存在が検出されない場合に、前記照明器具の点灯パターンに応じて、前記照明器具の点灯を制御することを特徴としている。
このような構成により、住宅内に居住者がいない場合、照明器具の点灯パターンに応じた点灯制御を自動的に行うことができ、より確実に防犯のための照明制御を行うことができる。
【００１３】
また、第８の発明は、
住宅外部からの視認条件および照明器具の点灯効果の大きさに基づいて設定された照明器具の点灯パターンに応じて、住宅内に設置された前記照明器具を点灯させることを特徴としている。
即ち、本発明によれば、留守中の住宅における防犯のための照明制御を、より低消費電力に行うことができる。
【発明を実施するための最良の形態】
【００１４】
以下、図を参照して本発明の実施の形態を説明する。
（第１実施形態）
（構成）
まず、構成を説明する。
図１は、本実施形態に係る照明システム１のシステム構成を示す図である。
図１において、照明システム１は、照明器具１０ａ〜１０ｋと、センサ２０ａ，２０ｂと、照明コントローラ３０とを備えている。
照明器具１０ａ〜１０ｋは、それぞれが識別情報（ＩＤ）を有しており、そのＩＤを元に、照明コントローラ３０によって、点灯および消灯、あるいは、点灯時における照度を制御されるものである。
【００１５】
これら照明器具１０ａ〜１０ｋは、それぞれ住宅内の各部に設置されており、本実施形態においては、照明器具１０ａはリビング、照明器具１０ｂは寝室Ａ、照明器具１０ｃは寝室Ｂ、照明器具１０ｄはダイニング、照明器具１０ｅは洋室、照明器具１０ｆは書斎、照明器具１０ｇは廊下、照明器具１０ｈは階段、照明器具１０ｉはキッチン、照明器具１０ｊはウォークインクローゼット、照明器具１０ｋは和室に設置されているものとする。
なお、照明器具としては、上記照明器具１０ａ〜１０ｋ以外にも住宅内に設置されているが、ここでは、主として照明器具１０ａ〜１０ｋを取り上げるものとし、他の照明器具については適宜言及するものとする。
センサ２０ａ，２０ｂは、住宅内における人の存在を検出するセンサであり、本実施形態においては、センサ２０ａとセンサ２０ｂとは異なる方式のものを用いている。
【００１６】
例えば、センサ２０ａは振動センサ、センサ２０ｂは赤外線センサとすることができ、これらの方式以外にも、センサ２０ａ，２０ｂの方式として、超音波センサ、可視光センサ、マイクロウェーブセンサ等を用いることができる。
これらセンサ２０ａ，２０ｂは、住宅内における所定の箇所（例えば、各部屋の出入り口付近、廊下の中央、玄関周辺、各階の階段付近、窓の周辺等）に備えられている。
なお、センサ２０ａ，２０ｂは、それぞれ同一の箇所に設置することや、それぞれの方式に合わせた異なる箇所（振動センサであれば柔らかい床や、ドアあるいは窓の枠、赤外線センサであれば比較的暗い室内の天井等）に設置することが可能である。
【００１７】
照明コントローラ３０は、照明システム１全体を制御するものであり、各照明器具の属性と、住宅の間取り図と、照明シミュレーションにおける照明の点灯パターン（後述する照明シミュレーションパターン）とを記憶している。また、照明コントローラ３０は、内部に備えた時計機能あるいは外部からの時刻信号によって、現在時刻を取得可能な構成である。そして、照明コントローラ３０は、住宅が留守中である場合に、センサ２０ａ，２０ｂの検出結果に応じて、照明器具１０ａ〜１０ｋの点灯を制御する。
具体的には、照明コントローラ３０は、ＣＰＵ（Central Processing Unit）、記憶装置、メモリ、表示装置等を備えた制御装置を構成しており、記憶装置に各照明器具の属性（図２参照）、住宅の間取り図の情報（図３参照）、および、照明シミュレーション処理（後述）において参照する照明シミュレーションパターン（図４参照）を記憶している。
【００１８】
図２は、各照明器具の属性が格納された照明属性テーブルを示す図である。
図２において、照明属性テーブルには、照明器具１０ａ〜１０ｋの識別番号（ＩＤ）と、各照明器具の設置箇所と、各照明器具の照明種別とが対応付けられて格納されている。
照明コントローラ３０は、照明器具の属性によって各照明器具を特定し、その照明器具の設置箇所である部屋等において照明が点灯しているか否かを把握することができる。なお、照明コントローラ３０は、照明属性テーブルにおける照明種別を参照することにより、照明点灯時におけるおおよその消費電力を把握すること等も可能である。
【００１９】
図３は、照明コントローラ３０が記憶している住宅の間取り図である。
図３において、住宅の各部屋や廊下等には、各照明器具が設置されており、照明コントローラ３０は、照明属性テーブルを参照することにより、住宅のいずれの箇所にどの照明器具が設置されているかを把握することができる。
したがって、照明コントローラ３０は、住宅における照明の位置関係を把握することができ、把握した位置関係を基に、照明シミュレーションを行う際に、極めて近い位置にある照明器具については、いずれか一方のみを点灯させるといった判定を自動的に行うことが可能となる。
【００２０】
図４は、照明シミュレーションパターンのテーブルデータを示す図である。
図４において、照明シミュレーションパターンは、各照明器具の点灯を行うか否かのパターン、および、各パターンの継続時間によって構成されており、時間帯毎に、異なる照明シミュレーションパターンが設定されている。
具体的には、図４（ａ）は、夜間（夕方（例えば１６時）から日の出まで）の照明シミュレーションパターンを示す図であり、図４（ｂ）は、日中（日の出から夕方まで）の照明シミュレーションパターンを示す図である。なお、照明シミュレーションパターンの時間帯の設定は、季節に応じて変化させることとしても良く、また、より細分化した時間帯設定としても良い。
【００２１】
図４に示す各シミュレーションパターンは、照明シミュレーション処理をより低消費電力で効果的なものとする内容となっている。
例えば、図４（ａ）、（ｂ）のいずれの場合も、ウォークインクローゼット等、住宅内において外部に面していない箇所（即ち、外部から視認できない箇所）に設置された照明器具については、照明シミュレーション処理における点灯の対象から除外されている。また、日中の照明シミュレーション処理においては、太陽光が当たるために照明器具を点灯しても目立たないような明るい箇所（南向きの部屋であるリビング、洋室、書斎および和室等）に設置された照明器具の点灯を行わないパターンとなっている。
【００２２】
図１に戻り、照明コントローラ３０は、記憶装置に記憶されたプログラムをＣＰＵが実行することにより、各種の機能を実現するものである。
例えば、照明コントローラ３０は、記憶装置に記憶された照明シミュレーション処理のための照明シミュレーションプログラムをＣＰＵによって読み出し、ＣＰＵが、そのプログラムをメモリに展開しながら実行することにより、照明点灯のシミュレーション機能を実現する。
【００２３】
図５は、照明コントローラ３０の内部構成を具体的に示す図である。
図５において、照明コントローラ３０は、センサ２０ａ，２０ｂからの検出信号を受信するセンサインターフェース（以下、「センサＩ／Ｆ」という。）３０ａと、センサＩ／Ｆ３０ａを介して入力されたセンサ２０ａ，２０ｂの検出信号に応じて、住宅内における人の存在を判別する探知結果判別部３０ｂと、探知結果判別部３０ｂによって判別された人の存在の有無に基づいて、必要に応じて照明点灯制御部３０ｄ（後述）を起動し、照明点灯のシミュレーションの実行を制御する自動起動制御部３０ｃと、照明器具１０ａ〜１０ｋの点灯や消灯、あるいは点灯時の照度を制御する照明点灯制御部３０ｄとを備えている。
【００２４】
照明コントローラ３０の探知結果判別部３０ｂ、自動起動制御部３０ｃおよび照明点灯制御部３０ｄは、ＣＰＵがこれらの手段に対応するプログラムを実行することによって実現される。
なお、照明コントローラ３０は、照明点灯制御部３０ｄの機能を手動でＯＮ／ＯＦＦするためのスイッチを備えており、居住者は、在宅時には、このスイッチをＯＦＦとし、外出時にスイッチをＯＮに切り替えることにより、照明コントローラ３０による照明の制御（照明シミュレーションパターンに応じた点灯制御）を手動によって起動することができる。
【００２５】
次に、動作を説明する。
図６は、照明コントローラ３０が実行する照明シミュレーション処理を示すフローチャートである。
照明シミュレーション処理は、照明システム１の起動と共に実行される。
図６において、照明シミュレーション処理が開始されると、照明コントローラ３０の自動起動制御部３０ｃは、照明点灯制御部３０ｄのスイッチがＯＮとされているか否かを判定する（ステップＳ１）。
【００２６】
ステップＳ１において、照明点灯制御部３０ｄのスイッチがＯＮとされていると判定した場合、居住者が手動によりスイッチをＯＮした状態であるか否かの判定を行う（ステップＳ２）。
ステップＳ２において、居住者が手動によりスイッチをＯＮした状態であると判定した場合、自動起動制御部３０ｃは、所定の待機時間だけ待機状態となり（ステップＳ３）、ステップＳ１の処理に移行する。なお、居住者が手動によりスイッチをＯＮとした状態である場合には、居住者の手動操作によって起動された照明器具の点灯制御（照明シミュレーションパターンに応じた照明器具の点灯制御）が行われることとなる。
【００２７】
ステップＳ１において、照明点灯制御部３０ｄのスイッチがＯＮとされていないと判定した場合、および、ステップＳ２において、居住者が手動によりスイッチをＯＮした状態ではないと判定した場合、自動起動制御部３０ｃは、探知結果判別部３０ｂの判別結果を取得し（ステップＳ４）、住宅内に人が存在するか否かの判定を行う（ステップＳ５）。
ステップＳ５において、住宅内に人が存在すると判定した場合、自動起動制御部３０ｃは、ステップＳ３の処理に移行する。
一方、ステップＳ５において、住宅内に人が存在しないと判定した場合、自動起動制御部３０ｃは、照明点灯制御部３０ｄのスイッチをＯＮとし（ステップＳ６）、現在時刻に応じた照明シミュレーションパターンを指定して、その照明シミュレーションパターンに応じた照明器具の点灯制御を実行する（ステップＳ７）。
【００２８】
具体的には、ステップＳ７において、例えば、現在時刻が１４時である場合、自動起動制御部３０ｃは、図４（ｂ）に示す日中の照明シミュレーションパターンを指定し、照明点灯制御部３０ｄに、（１）寝室Ａ，Ｂを１時間点灯、（２）寝室Ａ，Ｂおよび１階のトイレを５分間点灯、（３）寝室Ａ，Ｂおよび浴室を１５分間点灯、（４）寝室Ａ，Ｂおよび２階トイレを５分間点灯、（５）寝室Ａおよび洗面所を５分間点灯、（６）ダイニングおよび台所を３０分間点灯、（７）ダイニングを３０分間点灯、（８）台所を３０分間点灯、というパターンの点灯制御を行わせる。
そして、自動起動制御部３０ｃは、所定の待機時間だけ待機状態となり（ステップＳ８）、ステップＳ４の処理に移行する。
【００２９】
このような照明シミュレーション処理を実行することにより、住宅内に人が存在していない状態で、照明点灯制御部３０ｄのスイッチがＯＮとされていない場合にも、自動的に照明器具の点灯制御が行われる。
そして、照明シミュレーション処理において、照明シミュレーションパターンに応じた照明器具の点灯制御が行われることにより、外部から視認できない箇所や、照明器具を点灯しても目立たない箇所については、照明器具の点灯を行うことなく、住宅内に人が存在しているかのように照明器具が点灯されることとなる。
以上のように、本実施形態における照明システム１は、住宅内に設置されたセンサ２０ａ，２０ｂによって、住宅内における人の存在を検出し、照明コントローラ３０が照明シミュレーション処理を実行することにより、居住者のスイッチＯＮ動作に対応して、あるいは、住宅内に人が存在しない場合には自動的に、照明シミュレーションパターンに応じた照明器具の点灯制御を行う。
【００３０】
そして、照明シミュレーションパターンに応じた照明器具の点灯制御が行われることにより、住宅内の外部から視認できない箇所や、照明器具を点灯しても太陽光によって目立たない箇所については、照明器具の点灯を行うことなく、それ以外の照明器具によって、住宅内に人が存在しているかのように演出が行われる。
したがって、留守中の住宅における防犯のための照明制御を、より低消費電力に行うことが可能となる。
【００３１】
（応用例１）
本実施形態においては、照明シミュレーションパターンとして、照明シミュレーション処理における照明器具の消費電力が低くなるパターンが予め設定されているものとして説明したが、照明コントローラ３０が、照明器具の属性と、住宅の間取り図の情報とを基に、より低消費電力となる照明器具の点灯パターンを判定することとしても良い。
例えば、照明器具の属性における照明種別を基に、照明コントローラ３０が、より低い消費電力で同様の効果がある照明器具を点灯させることができ、例えば、極近い位置に２つの照明器具がある場合に、一方が白熱球、他方が蛍光灯であれば、蛍光灯を選択して点灯させることができる。
なお、照明器具の属性において、消費電力を表すデータを含めておき、その消費電力のデータを基に、より低消費電力である照明器具の選択を行うこととしても良い。
【００３２】
（第２実施形態）
次に、本発明の第２実施形態について説明する。
本実施形態においては、日常的な居住者の生活から照明器具の点灯操作パターン（手動による点灯あるいは消灯操作のパターン）を抽出し、抽出した点灯操作パターンをより低消費電力で効果的なものに再構成して、第１実施形態における照明シミュレーションパターンとするものである。
【００３３】
（構成）
まず、構成を説明する。
図７は、本実施形態における照明システム２のシステム構成を示す図である。
図７において、照明システム２のシステム構成は、照明コントローラ１３０の内部構成を除いて、第１実施形態における照明システム１の各部と同様である。
したがって、照明コントローラ１３０の構成について主に説明する。
照明コントローラ１３０は、センサ２０ａ，２０ｂからの検出信号を受信するセンサＩ／Ｆ３０ａと、センサＩ／Ｆ３０ａを介して入力されたセンサ２０ａ，２０ｂの検出信号に応じて、住宅内における人の存在を判別する探知結果判別部３０ｂと、探知結果判別部３０ｂによって判別された人の存在の有無に基づいて、必要に応じて照明点灯制御部３０ｄを起動し、照明点灯のシミュレーションの実行を制御する自動起動制御部３０ｃと、照明器具１０ａ〜１０ｋの点灯や消灯、あるいは点灯時の照度を制御する照明点灯制御部３０ｄと、居住者の日常生活における照明器具の点灯操作パターンを抽出するパターン抽出手段１３０ｅとを備えている。
【００３４】
これらのうち、パターン抽出手段１３０ｅには、照明器具１０ａ〜１０ｋの点灯あるいは消灯を示す信号が入力され、パターン抽出手段１３０ｅは、入力された信号を基に、居住者が住宅内に存在する場合における各照明器具の点灯や消灯を時刻と対応付けて記憶する。
また、パターン抽出手段は、所定期間における統計処理を施すことにより、記憶した照明器具の点灯および消灯履歴から、時間帯毎の点灯操作パターンを抽出する。
【００３５】
このとき、パターン抽出手段は、例えば、各照明器具の所定時刻における点灯あるいは消灯の度数を基に、その時刻には点灯している割合が高いあるいは消灯している割合が高いという判定を行い、その判定結果に応じて、その時刻の前後一定時間（例えば前後３０分）は点灯している、あるいは、消灯しているという判定を行うことができる。
さらに、居住者の生活パターンは曜日毎に異なることが多いため、統計処理を曜日毎に行って、各曜日に対応する点灯操作パターンを抽出することも可能である。
【００３６】
また、夏季と冬季とでは日没時間が異なるため、照明器具の点灯操作パターンを抽出するサンプルとして、直前１ヶ月あるいは２ヶ月といった期間を定め、この期間内における居住者の点灯および消灯履歴から照明器具の点灯操作パターンを抽出することとしても良い。
そして、パターン抽出手段は、抽出した点灯操作パターンのうち、住宅の間取り図および照明器具の点灯時刻を基に、外部から視認できない箇所や、照明器具を点灯しても太陽光によって目立たない箇所については、点灯制御の対象から除外し、照明器具の点灯操作パターンを再構成する。この再構成されたパターンは、新たな照明シミュレーションパターンとして記憶装置に記憶される。
【００３７】
次に、動作を説明する。
図８は、照明コントローラ３０が実行する照明シミュレーション処理を示すフローチャートである。
照明シミュレーション処理は、照明システム１の起動と共に実行される。
図８において、照明シミュレーション処理が開始されると、照明コントローラ３０の自動起動制御部３０ｃは、照明点灯制御部３０ｄのスイッチがＯＮとされているか否かを判定する（ステップＳ１０１）。
【００３８】
ステップＳ１０１において、照明点灯制御部３０ｄのスイッチがＯＮとされていると判定した場合、居住者が手動によりスイッチをＯＮした状態であるか否かの判定を行う（ステップＳ１０２）。
ステップＳ１０２において、居住者が手動によりスイッチをＯＮした状態であると判定した場合、自動起動制御部３０ｃは、パターン抽出手段１３０ｅが作動しているか否かの判定を行う（ステップＳ１０３）。
【００３９】
ステップＳ１０３において、パターン抽出手段１３０ｅが作動していないと判定した場合、自動起動制御部３０ｃは、パターン抽出手段１３０ｅを作動させる（ステップＳ１０４）。
ステップＳ１０３において、パターン抽出手段１３０ｅが作動していると判定した場合、および、ステップＳ１０４の後、自動起動制御部３０ｃは、ステップＳ１１０の処理に移行する。
【００４０】
また、ステップＳ１０１において、照明点灯制御部３０ｄのスイッチがＯＮとされていないと判定した場合、および、ステップＳ１０２において、居住者が手動によりスイッチをＯＮした状態ではないと判定した場合、自動起動制御部３０ｃは、探知結果判別部３０ｂの判別結果を取得し（ステップＳ１０５）、住宅内に人が存在するか否かの判定を行う（ステップＳ１０６）。
【００４１】
ステップＳ１０６において、住宅内に人が存在すると判定した場合、自動起動制御部３０ｃは、ステップＳ１０３の処理に移行し、住宅内に人が存在しないと判定した場合、自動起動制御部３０ｃは、照明点灯制御部３０ｄのスイッチをＯＮとする（ステップＳ１０７）。
そして、自動起動制御部３０ｃは、パターン抽出手段１３０ｅを停止させ（ステップＳ１０８）、現在時刻に応じた照明シミュレーションパターンを指定して、その照明シミュレーションパターンに応じた照明器具の点灯制御を実行する（ステップＳ１０９）。
【００４２】
さらに、自動起動制御部３０ｃは、所定の待機時間だけ待機状態となり（ステップＳ１１０）、ステップＳ１０５の処理に移行する。
このような照明シミュレーション処理を実行することにより、住宅内に人が存在していない状態で、照明点灯制御部３０ｄのスイッチがＯＮとされていない場合にも、自動的に照明器具の点灯制御が行われる。
【００４３】
そして、照明シミュレーション処理において、照明シミュレーションパターンに応じた照明器具の点灯制御が行われることにより、外部から視認できない箇所や、照明器具を点灯しても目立たない箇所については、照明器具の点灯を行うことなく、住宅内に人が存在しているかのように照明器具が点灯されることとなる。
また、このときの照明シミュレーションパターンは、居住者の日常生活における照明の点灯操作パターンに基づくものであるため、より効果的に住宅内に人が存在しているかのように照明器具を点灯することができる。
【００４４】
以上のように、本実施形態における照明システム２は、住宅内に設置されたセンサ２０ａ，２０ｂによって、住宅内における人の存在を検出し、照明コントローラ３０が照明シミュレーション処理を実行することにより、居住者のスイッチＯＮ動作に対応して、あるいは、住宅内に人が存在しない場合には自動的に、照明シミュレーションパターンに応じた照明器具の点灯制御を行う。
そして、照明シミュレーションパターンに応じた照明器具の点灯制御が行われることにより、住宅内の外部から視認できない箇所や、照明器具を点灯しても目立たない箇所については、照明器具の点灯を行うことなく、それ以外の照明器具によって、住宅内に人が存在しているかのように演出が行われる。
【００４５】
したがって、留守中の住宅における防犯のための照明制御を、より低消費電力に行うことが可能となる。
また、パターン抽出手段１３０ｅが日常的な居住者の生活から照明器具の点灯操作パターンを抽出し、そのパターンを基に照明シミュレーションパターンを設定しているため、照明シミュレーションパターンに応じた照明器具の点灯制御を行った場合に、より効果的に住宅内に人が存在しているかのように演出を行うことができる。
【図面の簡単な説明】
【００４６】
【図１】第１実施形態に係る照明システム１のシステム構成を示す図である。
【図２】各照明器具の属性が格納された照明属性テーブルを示す図である。
【図３】照明コントローラ３０が記憶している住宅の間取り図である。
【図４】照明シミュレーションパターンのテーブルデータを示す図である。
【図５】照明コントローラ３０の内部構成を具体的に示す図である。
【図６】照明コントローラ３０が実行する照明シミュレーション処理を示すフローチャートである。
【図７】第２実施形態における照明システム２のシステム構成を示す図である。
【図８】照明コントローラ３０が実行する照明シミュレーション処理を示すフローチャートである。
【符号の説明】
【００４７】
１，２  照明システム、１０ａ〜１０ｋ  照明器具、２０ａ，２０ｂ  センサ、３０，１３０  照明コントローラ、３０ａ  センサＩ／Ｆ、３０ｂ  探知結果判別部、３０ｃ  自動起動制御部、３０ｄ  照明点灯制御部、１３０ｅ  パターン抽出手段
【図１】
2009224199.tif 000003
【図２】
2009224199.tif 000004
【図３】
2009224199.tif 000005
【図４】
2009224199.tif 000006
【図５】
2009224199.tif 000007
【図６】
2009224199.tif 000008
【図７】
2009224199.tif 000009
【図８】
2009224199.tif 000010